(57)【特許請求の範囲】
【請求項１】
通信を行う通信部と、
特定の機器から該特定の機器の位置を通知するための第１のメールを受信した場合には第１の通知画面を表示させ、前記第１のメール以外の第２のメールを受信した場合には第２の通知画面を表示させる制御部と
を有し、
前記制御部は、前記第１のメールの送信者ごとに前記第１の通知画面をまとめて表示させる携帯電子機器。
【請求項２】
前記制御部は、前記第１のメールに、前記位置を含む地図データを取得するための接続先情報が含まれる場合には、前記接続先情報へのリンクを前記第１の通知画面に設ける請求項１に記載の携帯電子機器。
【請求項３】
前記制御部は、前記第１のメールの送信者の情報を前記第１の通知画面にさらに表示させる請求項２に記載の携帯電子機器。
【請求項４】
前記制御部は、前記第１のメールの送信契機を前記第１の通知画面にさらに表示させる請求項３に記載の携帯電子機器。
【請求項５】
通信を行う通信部を有する携帯電子機器に、
前記通信部により特定の機器から該特定の機器の位置を通知するための第１のメールを受信した場合に第１の通知画面を表示させるステップと、
複数の前記第１のメールを受信すると、当該第１のメールの送信者ごとに前記第１の通知画面をまとめて表示させるステップと、
前記通信部により前記第１のメール以外の第２のメールを受信した場合には第２の通知画面を表示させるステップと
を実行させる通信プログラム。
【請求項６】
通信ネットワークを介して相互に通信できる、第１の携帯電子機器と第２の携帯電子機器とサーバとを含む通信システムであって、
前記第１の携帯電子機器は、
位置測位処理を実行して、測位した位置を通知するための第１のメールを、前記第２の携帯電子機器を宛先として送信し、
前記サーバは、
前記第１の携帯電子機器から前記第１のメールを受信した場合に、前記位置を表示する地図データを生成し、生成した地図データの格納位置に対応する接続先情報を、前記第１のメールに挿入して前記第２の携帯電子機器に転送し、
前記第２の携帯電子機器は、
前記サーバから転送された、前記第１の携帯電子機器を送信元とする前記第１のメールを受信した場合に、前記第１のメールに対応する通知画面を表示させ、
複数の前記第１のメールを受信すると、当該第１のメールの送信者ごとに前記第１の通知画面をまとめて表示させ、
前記第１のメールに含まれる前記接続先情報への接続要求に応じて、前記接続先情報に対応する前記格納位置に格納されている地図データを前記サーバから取得し、取得した地図データを表示させる通信システム。
【発明の詳細な説明】
【技術分野】
【０００１】
本出願は、携帯電子機器、通信プログラム及び通信システムに関する。
【背景技術】
【０００２】
従来、携帯電話等の携帯電子機器に対するサービスとして、他の機器にて測位された位置を地図データ上に表示させるサービスが存在する。このサービスは、児童向けの携帯電話と、その保護者の携帯電話の間で利用される場合がある。例えば、保護者の携帯電話は、児童が携帯する携帯電話に対して位置情報の送信を要求し、児童向けの携帯電話から受信した位置情報に基づいて、地図データ上に児童が携帯する携帯電話の位置を表示させる。これにより、保護者は、児童の現在位置を地図上で確認することが可能となる。
【先行技術文献】
【特許文献】
【０００３】
【特許文献１】特開２０１２−２７０２８号公報
【発明の概要】
【発明が解決しようとする課題】
【０００４】
ところで、保護者の携帯電話は、児童の携帯電話から現在位置を通知するために送信されたメールを、児童の携帯電話以外から送信された他のメールと同様に処理する。このため、保護者は、児童の現在位置を通知するためのメールを他のメールと区別して把握することが難しい。
【０００５】
上記のことから、特定のメールの受信を迅速に把握できる携帯電子機器、通信プログラム及び通信システムに対する必要性がある。
【課題を解決するための手段】
【０００６】
１つの態様に係る携帯電子機器は、通信を行う通信部と、特定の機器から該特定の機器の位置を通知するための第１のメールを受信した場合には第１の通知画面を表示させ、前記第１のメール以外の第２のメールを受信した場合には第２の通知画面を表示させる制御部とを有し、前記制御部は、前記第１のメールの送信者ごとに前記第１の通知画面をまとめて表示させる。
【０００７】
１つの態様に係る通信プログラムは、通信を行う通信部を有する携帯電子機器に、前記通信部により特定の機器から該特定の機器の位置を通知するための第１のメールを受信した場合に第１の通知画面を表示させるステップと、複数の前記第１のメールを受信すると、当該第１のメールの送信者ごとに前記第１の通知画面をまとめて表示させるステップと、前記通信部により前記第１のメール以外の第２のメールを受信した場合には第２の通知画面を表示させるステップとを実行させる。
【０００８】
１つの態様に係る通信システムは、通信ネットワークを介して相互に通信できる、第１の携帯電子機器と第２の携帯電子機器とサーバとを含む通信システムであって、前記第１の携帯電子機器は、位置測位処理を実行して、測位した位置を通知するための第１のメールを、前記第１の携帯電子機器を宛先として送信し、前記サーバは、前記第１の携帯電子機器から前記第１のメールを受信した場合に、前記位置を表示する地図データを生成し、生成した地図データの格納位置に対応する接続先情報を、前記第１のメールに挿入して前記第２の携帯電子機器に転送し、前記第２の携帯電子機器は、前記サーバから転送された、前記第１の携帯電子機器を送信元とする前記第１のメールを受信した場合に、前記第１のメールに対応する通知画面を表示させ、複数の前記第１のメールを受信すると、当該第１のメールの送信者ごとに前記第１の通知画面をまとめて表示させ、前記第１のメールに含まれる前記接続先情報への接続要求に応じて、前記接続先情報に対応する前記格納位置に格納されている地図データを前記サーバから取得し、取得した地図データを表示させる。
【図面の簡単な説明】
【０００９】
【図１】図１は、実施形態に係るシステム構成の概略を示す図である。
【図２】図２は、携帯電話の機能構成を示すブロック図である。
【図３】図３は、通知ウィンドウを表示した後、地図データを表示するまでの携帯電話１による処理の概要を示す図である。
【図４】図４は、通知ウィンドウの他の表示例を示す図である。
【図５】図５は、通知ウィンドウの他の表示例を示す図である。
【図６】図６は、防犯ブザーの鳴動通知を表示した後、防犯ブザーの鳴動に基づく居場所通知メールに対応する通知ウィンドウを表示するまでの携帯電話１による処理の概要を示す図である。
【図７】図７は、図２に示す携帯電話とは別の携帯電話の機能構成を示すブロック図である。
【図８】図８は、実施形態に係る通信システムにおける処理の流れを示す図である。
【図９】図９は、実施形態に係る通信システムにおける別の処理の流れを示す図である。
【図１０】図１０は、複数の通知ウィンドウを同時に表示させるときの一例を示す図である。
【図１１】図１１は、複数の通知ウィンドウを同時に表示させるときの他の例を示す図である。
【図１２】図１２は、通知ウィンドウに表示されている地図表示ボタンが未読メールを表示させるボタンに変更される例を示す図である。
【発明を実施するための形態】
【００１０】
本出願に係る携帯電子機器、通信プログラム及び通信システムを実施するための実施形態を、図面を参照しつつ詳細に説明する。以下の説明により、本出願に係る携帯電子機器、通信プログラム及び通信システムが限定されるものではない。以下の説明における構成要素には、当業者が容易に想定できるもの、実質的に同一のもの、いわゆる均等の範囲のものが含まれる。以下においては、携帯電子機器の一例として携帯電話を取り上げるが、本出願に係る携帯電子機器の適用対象は携帯電話に限定されるものではなく、通信が可能な他の装置に対しても適用できる。例えば、タッチスクリーンを有する多機能携帯電話（スマートフォン）、ＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、ゲーム機等に対しても適用できる。
【００１１】
（実施形態）
図１は、実施形態に係る通信システムの構成の概略を示す図である。図１に示すように、本実施形態に係る通信システムは、通信ネットワークを介して相互に通信できる、携帯電話１と、携帯電話２ａと、携帯電話２ｂと、携帯電話２ｃと、サーバ３とを有する。
【００１２】
携帯電話２ａ〜２ｃは、複数のＧＰＳ衛星３０ａ、３０ｂ、３０ｃ及び３０ｄから送信される電波信号に基づいて位置測位処理を実行し、測位した位置情報を含む居場所通知メールを携帯電話１に対して送信する。携帯電話１は、携帯電話２ａ〜２ｃから携帯電話２ａ〜２ｃの位置を通知するための居場所通知メールを受信した場合には第１の通知画面を表示させ、携帯電話２ａ〜２ｃからから受信した居場所通知メール以外の他のメールを受信した場合には第２の通知画面を表示させる。例えば、携帯電話１は、携帯電話２ａ〜２ｃから居場所通知メールを受信すると、受信した居場所通知メールに対応する通知ウィンドウを第１の通知画面として表示する。一方で、携帯電話１は、居場所通知メール以外の他のメールを受信した場合には、ユーザにメールの受信を通知する第２の通知画面を表示する。第２の通知画面は、単に、メールの送信元及びメールの内容に関わらず、単に、メールの受信をユーザに通知するものであり、第１の通知画面とは構成が異なる。第１の通知画面の構成については後に詳述する。サーバ３は、携帯電話１に対して地図データを提供する。
【００１３】
図２は、図１に示す携帯電話１の機能構成を示すブロック図である。図２に示すように、携帯電話１は、マイク１１と、スピーカ１２と、レシーバ１３と、操作部１４と、表示部１５と、カメラ１６と、通信部１７と、ＧＰＳ通信部１８と、音声処理部２０と、記憶部４０と、制御部１００とを有する。
【００１４】
マイク１１は、例えば、通話時の音声、音声検索の利用時にユーザが発する音声、ノイズキャンセル処理時に利用する音など、種々の音を取得する。スピーカ１２は、例えば、携帯電話１の筐体内に配置されており、着信音やメールの送信音等を出力する。レシーバ１３は、例えば、通話時の音声などを出力する。
【００１５】
操作部１４は、各種機能が割り当てられた複数のキーを有する。操作部１４は、これらのキーがユーザの操作により入力されると、その操作内容に対応する信号を発生させる。発生した信号は、ユーザの指示として制御部１００へ入力される。
【００１６】
表示部１５は、任意のディスプレイを有し、制御部１００から供給される映像データに応じた映像や画像データに応じた画像を表示パネルに表示させる。ディスプレイは、例えば、液晶ディスプレイ（ＬＣＤ、Ｌｉｑｕｉｄ  Ｃｒｙｓｔａｌ  Ｄｉｓｐｌａｙ）、又は有機ＥＬ（Ｏｒｇａｎｉｃ  Ｅｌｅｃｒｏ−Ｌｕｍｉｎｅｓｃｅｎｃｅ）パネルなどで構成された表示パネルで構成される。表示部１５は、ディスプレイに加え、サブディスプレイを有していてもよい。カメラ１６は、撮影した画像を取得する。
【００１７】
通信部１７は、アンテナ１７ａを有し、通信ネットワークに収容される基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、後述する携帯電話２との間で電話通信及び情報通信を行う。
【００１８】
ＧＰＳ通信部１８は、ＧＰＳ衛星３０ａ、３０ｂ、３０ｃ及び３０ｄからの所定の周波数帯の電波信号を受信し、受信した電波信号の復調処理を行って、処理後の信号を制御部１００に送出する。携帯電話１は、通信部１７及びＧＰＳ通信部１８の代わりに、通信部１７及びＧＰＳ通信部１８の双方の機能を搭載した通信ユニットを一つ設けてもよい。
【００１９】
音声処理部２０は、マイク１１に入力される音声信号、スピーカ１２及びレシーバ１３から出力される音声信号の処理を実行する。すなわち、音声処理部２０は、マイク１１から入力される音声を増幅し、アナログデジタル変換を実行した後、さらに符号化等の信号処理を施し、デジタルの音声データに変換してから制御部１００へ送出する。また、制御部１００から送られる音声データの復号化、デジタルアナログ変換、増幅等の処理を施し、アナログの音声信号に変換してからスピーカ１２及びレシーバ１３へ出力する。
【００２０】
記憶部４０は、オペレーティングシステムプログラム及びアプリケーションプログラム等、制御部１００での処理に利用される各種プログラム及び各種データを記憶する。例えば、記憶部４０には、表示部１５の動作を制御するアプリケーションプログラムを作動させるタスク、通信部１７の動作を制御するアプリケーションプログラムを作動させるタスク及び音声処理部２０の動作を制御するアプリケーションプログラムを作動させるタスクなどが記憶されている。また、記憶部４０には、これらのタスク以外にも、例えば、ダウンロードされた音声データ、あるいは記憶部４０に対する制御に制御部１００が用いるプログラム、通信相手の電話番号及びメールアドレス等が記述されたアドレス帳、発信音及び着信音等の音声ファイル、プログラムに基づく処理過程で用いられる一時的なデータ等が記憶される。
【００２１】
本実施形態において、記憶部４０には、少なくとも、携帯電話２ａ〜２ｃが送信元である受信メールのうち、受信メールのメールヘッダに記述されたパラメータから、居場所通知メールであるか否かを判定する処理を実行するためのプログラムが記憶される。さらに、記憶部４０には、携帯電話２ａ〜２ｃが送信元であって、かつ居場所通知メールと判別された受信メールのメールヘッダに記述されたパラメータから、居場所通知メールの送信契機を特定する処理を実行するためのプログラムが記憶される。さらに、記憶部４０には、居場所通知メールを受信した場合に、この居場所通知メールに対応する通知ウィンドウをディスプレイに表示させる処理を実行させるためのプログラムが記憶される。
【００２２】
制御部１００は、記憶部４０に記憶されている各種プログラムに基づいて処理を実行する。制御部１００は、例えば、マイクロプロセッサユニット（ＭＰＵ：Ｍｉｃｒｏ  Ｐｒｏｃｅｓｓｉｎｇ  Ｕｎｉｔ）で構成され、記憶部４０に記憶されるプログラムから命令コードを順次読み込んで、読み込んだ命令コードで指示された手順に従って携帯電話１の各種の処理を実行する。すなわち、制御部１００は、携帯電話１の各種の処理が、操作部１４の操作、及び記憶部４０に記憶されるプログラムに応じて適切な手順で実行されるように、表示部１５、通信部１７、ＧＰＳ通信部１８及び音声処理部２０等の動作を制御する。
【００２３】
制御部１００は、図２に示すように、居場所通知要求部１１０と、通知ウィンドウ表示制御部１２０と、地図表示制御部１３０を有する。
【００２４】
居場所通知要求部１１０は、携帯電話２ａ〜２ｃに対して、現在位置の通知を要求する。例えば、居場所通知要求部１１０は、操作部１４において居場所通知要求の機能が割り当てられたキーがユーザの操作により入力され、その操作内容に対応する信号を受けると、携帯電話２ａ〜２ｃの電話番号又はメールアドレスを記憶部４０から読み込む。続いて、居場所通知要求部１１０は、読み込んだ電話番号又はメールアドレスを宛先として、居場所通知要求を送信する。居場所通知要求部１１０は、携帯電話２ａ〜２ｃの全て又は一部を選択して居場所通知要求を送信することができるようにしてもよい。
【００２５】
通知ウィンドウ表示制御部１２０は、携帯電話２ａ〜２ｃから居場所通知メールを受信すると、この居場所通知メールに対応する通知ウィンドウをディスプレイに表示させる。具体的には、通知ウィンドウ表示制御部１２０は、受信メールの送信元のＩＰアドレス及び電話番号、居場所通知メールのメールヘッダに挿入されているパラメータに基づいて、受信メールが居場所通知メールであるか否かを判別する。そして、通知ウィンドウ表示制御部１２０は、受信メールが居場所通知メールであると判別した場合には、この居場所通知メールから送信者の情報及び送信契機の情報を取得し、取得した情報を含む通知ウィンドウ（第１の通知画面）をディスプレイに表示させる。このとき、通知ウィンドウ表示制御部１２０は、居場所通知メールに、居場所メールの送信元である携帯電話２ａ〜２ｃの位置を含む地図データを取得するためのＵＲＬ（Ｕｎｉｆｏｒｍ  Ｒｅｓｏｕｒｃｅ  Ｌｏｃａｔｏｒ）が含まれている場合には、次のように処理する。すなわち、通知ウィンドウ表示制御部１２０は、居場所通知メールに含まれるＵＲＬに直接アクセスすることが可能なリンクとして、このＵＲＬに紐付けた地図表示ボタンを通知ウィンドウに設ける。
【００２６】
例えば、通知ウィンドウ表示制御部１２０は、メールを受信すると、記憶部４０を参照して、受信メールの送信元のＩＰアドレス又は電話番号が、携帯電話２ａ〜２ｃに割り当てられているＩＰアドレス又は電話番号に対応するか否かを判定する。通知ウィンドウ表示制御部１２０は、判定の結果、受信メールの送信元のＩＰアドレス又は電話番号が、携帯電話２ａ〜２ｃに割り当てられているＩＰアドレス又は電話番号に対応するものである場合には、受信メールのメールヘッダを参照して、居場所通知メールに対応するパラメータが記述されているか否かを判定する。通知ウィンドウ表示制御部１２０は、受信メールのメールヘッダに、居場所通知メールに対応するパラメータが記述されている場合には、受信メールを居場所通知メールと判別する。
【００２７】
続いて、通知ウィンドウ表示制御部１２０は、記憶部４０に記憶されているアドレス帳を参照して、居場所通知メールと判別した受信メールの送信元ＩＰアドレスに関連付けられている名前の情報を送信者の情報として取得する。さらに、通知ウィンドウ表示制御部１２０は、居場所通知メールと判別した受信メールのメールヘッダをさらに参照し、居場所通知メールの送信契機を特定する。そして、通知ウィンドウ表示制御部１２０は、送信者の情報及び送信契機の情報を、居場所通知メールと判別した受信メールに対応する通知ウィンドウに含めてディスプレイに表示させる。
【００２８】
さらに、通知ウィンドウ表示制御部１２０は、居場所通知メールと判別した受信メールにＵＲＬが含まれているか否かを判定する。通知ウィンドウ表示制御部１２０は、判定の結果、ＵＲＬが含まれている場合には、このＵＲＬを紐付けた地図表示ボタンを、居場所通知メールと判別した受信メールに対応する通知ウィンドウに配置する。そして、通知ウィンドウ表示制御部１２０は、地図表示ボタンを含む通知ウィンドウをディスプレイに表示させる。通知ウィンドウ表示制御部１２０は、居場所通知メールと判別した受信メールにＵＲＬが含まれていない場合に、通知ウィンドウを表示させないようにしてもよいし、送信者の情報及び送信契機の情報のみを含む通知ウィンドウを表示させてもよい。
【００２９】
地図表示制御部１３０は、通知ウィンドウに含まれる地図表示ボタンの操作に応じて、地図表示ボタンに紐付けられたＵＲＬにアクセスし、サーバ３から地図データを取得して、ディスプレイに表示する。例えば、地図表示制御部１３０は、操作部１４におけるユーザの操作により地図表示ボタンが入力されると、地図表示ボタンに紐付けられたＵＲＬにアクセスする。
【００３０】
図３は、通知ウィンドウを表示した後、地図データを表示するまでの携帯電話１による処理の概要を示す図である。
【００３１】
図３に示すように、携帯電話１は、例えば、定期的に現在位置を通知するための居場所通知メールを携帯電話２ａから受信すると、送信者“特許一郎”、起動要因“定期通知”及び地図表示ボタンＢ１を含む通知ウィンドウＷ１を、第１の通知画面としてディスプレイに表示させる（ステップＳ１１参照）。続いて、携帯電話１は、ユーザの操作により地図表示ボタンが入力されると、ＵＲＬにアクセスして、サーバ３から地図データＤ１を取得し、取得した地図データＤ１をディスプレイに表示させる（ステップＳ１２参照）。
【００３２】
図３に示す通知ウィンドウＷ１に記述された起動要因は、携帯電話２ａにおける居場所通知メールの送信要因となったイベントを示している。通知ウィンドウＷ１に起動要因として記述された“定期通知”は、定期的に実行される現在位置の測位処理の起動が、携帯電話２ａにおいて居場所通知メールの送信要因となったイベントであることを示す。通知ウィンドウＷ１に設けられた地図表示ボタンＢ１には、居場所通知メールに含まれるＵＲＬが紐付けられる。
【００３３】
図４及び図５は、通知ウィンドウの他の表示例を示す図である。図４に示すように、携帯電話１は、例えば、携帯電話１からの要求に応じて現在位置を通知するための居場所通知メールを携帯電話２ａから受信すると、送信者“特許一郎”、起動要因“応答通知”及び地図表示ボタンＢ２を含む通知ウィンドウＷ２を、第１の通知画面としてディスプレイに表示する。
【００３４】
通知ウィンドウＷ２に起動要因として記述された“応答通知”は、携帯電話１からの居場所通知要求の受信が、携帯電話２ａにおいて居場所通知メールの送信要因となったイベントであることを示す。通知ウィンドウＷ２に設けられた地図表示ボタンＢ２には、居場所通知メールに含まれるＵＲＬが紐付けられる。
【００３５】
図５に示すように、携帯電話１は、例えば、緊急地震速報の受信に応じて現在位置を通知するための居場所通知メールを携帯電話２ａから受信すると、送信者“特許一郎”、起動要因“地震速報”及び地図表示ボタンＢ３を含む通知ウィンドウＷ３を、第１の通知画面としてディスプレイに表示する。
【００３６】
通知ウィンドウＷ３に起動要因として記述された“地震速報”は、緊急地震速報の受信が、携帯電話２ａにおいて居場所通知メールの送信要因となったイベントであることを示す。携帯電話２ａは、緊急地震速報だけではなく、津波警報、災害情報又は避難情報などの報知型の所定のメッセージの受信をトリガーとして、現在位置の測位を実行してもよい。通知ウィンドウＷ３に設けられた地図表示ボタンＢ３には、居場所通知メールに含まれるＵＲＬが紐付けられる。
【００３７】
図６は、防犯ブザーの鳴動通知を表示した後、防犯ブザーの鳴動に基づく居場所通知メールに対応する通知ウィンドウを表示するまでの携帯電話１による処理の概要を示す図である。
【００３８】
図６に示すように、携帯電話１は、防犯ブザーの鳴動通知を受信すると、防犯ブザーの鳴動を知らせる画面Ｍ１をディスプレイに表示する（ステップＳ２１参照）。続いて、携帯電話１は、防犯ブザーの鳴動に基づいて測位した現在位置を通知するための居場所通知メールを携帯電話２ａから受信すると、送信者“特許一郎”、起動要因“防犯ブザー”及び地図表示ボタンＢ４を含む通知ウィンドウＷ４を、第１の通知画面としてディスプレイに表示する（ステップＳ２２参照）。
【００３９】
通知ウィンドウＷ４に起動要因として記述された“防犯ブザー”は、防犯ブザーの作動（鳴動）が、携帯電話２ａにおいて居場所通知メールの送信要因となったイベントであることを示す。通知ウィンドウＷ４に設けられた地図表示ボタンＢ４には、居場所通知メールに含まれるＵＲＬが紐付けられる。
【００４０】
図７は、図１に示す携帯電話２ａと、携帯電話２ｂと、携帯電話２ｃの機能構成を示すブロック図である。図７に示すように、携帯電話２ａ〜２ｃは同一の機能構成を有し、マイク５１と、スピーカ５２と、レシーバ５３と、操作部５４と、表示部５５と、カメラ５６と、通信部５７と、ＧＰＳ通信部５８と、防犯ブザー作動検知部５９と、音声処理部６０と、記憶部８０と、制御部２００とを有する。
【００４１】
マイク５１は、例えば、通話時の音声、音声検索の利用時にユーザが発する音声、ノイズキャンセル処理時に利用する音など、種々の音を取得する。スピーカ５２は、例えば、携帯電話２の筐体内に配置されており、着信音やメールの送信音等を出力する。レシーバ５３は、例えば、通話時の音声などを出力する。
【００４２】
操作部５４は、各種機能が割り当てられた複数のキーを有する。操作部５４は、これらのキーがユーザの操作により入力されると、その操作内容に対応する信号を発生させる。発生した信号は、ユーザの指示として制御部２００へ入力される。
【００４３】
表示部５５は、任意のディスプレイを有し、制御部２００から供給される映像データに応じた映像や画像データに応じた画像をディスプレイに表示させる。ディスプレイは、携帯電話１と同様に、例えば、液晶ディスプレイ又は有機ＥＬパネルなどで構成された表示パネルで構成される。表示部５５は、ディスプレイに加え、サブディスプレイを有していてもよい。カメラ５６は、撮影した画像を取得する。
【００４４】
通信部５７は、アンテナ５７ａを有し、携帯電話１と同様に、通信ネットワークに収容される基地局によって割り当てられるチャネルを介し、基地局との間でＣＤＭＡ方式などによる無線信号回線を確立し、基地局を介して、例えば、上述した携帯電話１との間で電話通信及び情報通信を行う。
【００４５】
ＧＰＳ通信部５８は、ＧＰＳ衛星３０ａ、３０ｂ、３０ｃ及び３０ｄからの所定の周波数帯の電波信号を受信し、受信した電波信号の復調処理を行って、処理後の信号を制御部２００に送出する。携帯電話２ａ〜２ｃは、通信部５７及びＧＰＳ通信部５８の代わりに、通信部５７及びＧＰＳ通信部５８の双方の機能を搭載した通信ユニットを一つ設けてもよい。
【００４６】
防犯ブザー作動検出部５９は、防犯ブザーの作動を検出する。例えば、防犯ブザー作動検出部５９は、ユーザの操作により、防犯ブザーを作動させるためのスイッチが所定の位置に移動したこと、又はストラップに接続されたスイッチ部材が所定の位置に移動したことを検出した場合、スピーカ５２から防犯用のブザー音を出力させる。そして、防犯ブザー作動検出部５９は、防犯ブザー作動したことを示す作動信号を制御部２００に送出する。
【００４７】
音声処理部６０は、マイク５１に入力される音声信号、スピーカ５２及びレシーバ５３から出力される音声信号の処理を実行する。すなわち、音声処理部６０は、マイク５１から入力される音声を増幅し、アナログデジタル変換を実行した後、さらに符号化等の信号処理を施し、デジタルの音声データに変換してから制御部２００へ送出する。また、制御部２００から送られる音声データの復号化、デジタルアナログ変換、増幅等の処理を施し、アナログの音声信号に変換してからスピーカ５２及びレシーバ５３へ出力する。
【００４８】
記憶部８０は、オペレーティングシステムプログラム及びアプリケーションプログラム等、制御部２００での処理に利用される各種プログラム及び各種データを記憶する。例えば、記憶部８０には、表示部５５の動作を制御するアプリケーションプログラムを作動させるタスク、通信部５７の動作を制御するアプリケーションプログラムを作動させるタスク及び音声処理部６０の動作を制御するアプリケーションプログラムを作動させるタスクなどが記憶されている。また、記憶部８０には、これらのタスク以外にも、例えば、ダウンロードされた音声データ、あるいは記憶部８０に対する制御に制御部２００が用いるプログラム、通信相手の電話番号及びメールアドレス等が記述されたアドレス帳、発信音及び着信音等の音声ファイル、プログラムに基づく処理過程で用いられる一時的なデータ等が記憶される。
【００４９】
本実施形態において、記憶部８０には、少なくとも、定期的に現在位置の測位を実行して、測位した位置情報を含む居場所通知メールを送信する処理を実行するためのプログラムが含まれる。さらに、記憶部８０には、居場所通知要求を受信した場合、緊急地震速報を受信した場合または防犯ブザーの作動を検出した場合に、現在位置の測位を実行して、測位した位置情報を含む居場所通知メールを送信する処理を実行するためのプログラムが含まれる。
【００５０】
制御部２００は、記憶部８０に記憶されている各種プログラムに基づいて処理を実行する。制御部２００は、例えば、マイクロプロセッサユニットで構成され、記憶部８０に記憶されるプログラムから命令コードを順次読み込んで、読み込んだ命令コードで指示された手順に従って携帯電話２の各種の処理を実行する。すなわち、制御部２００は、携帯電話２ａ〜２ｃの各種の処理が、操作部５４の操作、及び記憶部８０に記憶されるプログラムに応じて適切な手順で実行されるように、表示部５５、通信部５７及び音声処理部６０等の動作を制御する。
【００５１】
制御部２００は、図７に示すように、通知処理部２１０及び位置測位部２２０を有する。
【００５２】
通知処理部２１０は、携帯電話１に対して、居場所通知メールを送信する。例えば、通知処理部２１０は、定期的な現在位置の測位のタイミングとなった場合には、位置測位部２２０に対して、現在位置の測位を要求する。あるいは、通知処理部２１０は、携帯電話１から居場所通知要求を受信した場合には、位置測位部２２０に対して、現在位置の測位を要求する。あるいは、通知処理部２１０は、緊急地震速報を受信した場合には、位置測位部２２０に対して、現在位置の測位を要求する。あるいは、通知処理部２１０は、防犯ブザー作動検出部５９から防犯ブザーの作動信号を受けた場合には、位置測位部２２０に対して、現在位置の測位を要求する。そして、通知処理部２１０は、位置測位部２２０から現在位置の情報を取得すると、取得した位置情報を含む居場所通知メールを携帯電話１に送信する。通知処理部２１０は、居場所通知メールを送信する場合、メールのヘッダに送信契機に対応するパラメータを挿入しておく。
【００５３】
通知処理部２１０は、防犯ブザー作動検出部５９から防犯ブザーの作動信号を受けた場合には、居場所通知メールの送信に先だって、防犯ブザーの作動通知を携帯電話１に送信する。
【００５４】
通知処理部２１０は、緊急地震速報だけではなく、津波警報、災害情報又は避難情報などの報知型の所定のメッセージを受信した場合にも、居場所通知メールを送信してもよい。通知処理部２１０は、受信したメッセージが緊急地震速報などのメッセージであるか否かを判定する場合、次のように処理する。すなわち、通知処理部２１０は、例えば、受信したメッセージが、ＢＣＳＭＳ（Ｂｒｏａｄ  Ｃａｓｔ  Ｓｈｏｒｔ  Ｍｅｓｓａｇｅ  Ｓｅｒｖｉｃｅ）などを利用した一斉配信型のブロードキャストメッセージであれば、受信したメッセージの拡張システムパラメータのブロードキャスト用の領域がページングチャネルに設定されているかどうかを判定する。そして、通知処理部２１０は、ブロードキャスト用の領域がページングチャネルに設定されている場合には、その領域内に記述された信号を確認することにより、緊急地震速報などのメッセージであるかを判定する。あるいは、通知処理部２１０は、受信したメッセージが、対象エリア内の機器に対して通信回線事業者により一斉配信されるエリアメールであれば、エリアメールのヘッダ内に設けられたシステム領域のパラメータを確認することにより、緊急地震速報などのメッセージであるかを判定する。
【００５５】
位置測位部２２０は、通知処理部２１０から現在位置の測位要求があると、ＧＰＳ衛星３０ａ、３０ｂ、３０ｃ及び３０ｄからの電波信号に基づいて、現在位置の測位処理を実行する。そして、位置測位部２２０は、測位した位置情報を通知処理部２１０に送る。
【００５６】
サーバ３は、携帯電話１から、ＵＲＬへのアクセスがあると、ＵＲＬに対応する地図データを取得して、携帯電話１に提供する。
【００５７】
例えば、サーバ３は、国際地球基準座標系に対応した地図データを予め蓄積する。続いて、携帯電話２ａ、携帯電話２ｂ又は携帯電話２ｃから居場所通知メールを受信すると、居場所通知メールに含まれる位置情報に基づいて地図データを作成する。例えば、サーバ３は、受信メールのボディを解析して、位置情報が含まれている場合には、受信メールが居場所通知メールであると判別する。
【００５８】
受信メールが居場所通知メールであると判別すると、サーバ３は、居場所通知メールに含まれる位置情報に基づいて、予め蓄積する地図データの切り出しを行い、位置情報に対応する位置に所定のマークを配置した地図データを作成する。続いて、サーバ３は、作成した地図データを、内部的に有する記憶部に格納して格納位置を示すＵＲＬを生成する。そして、サーバ３は、このＵＲＬを居場所通知メールに挿入し、携帯電話１に転送する。このとき、サーバ３は、居場所通知メールに含まれる位置情報をそのまま残してもよいし、削除してもよい。
【００５９】
居場所通知メールの転送後、サーバ３は、携帯電話１からＵＲＬへのアクセスがあると、ＵＲＬに対応する地図データを内部的に有する記憶部から取り込み、取り込んだ地図データを携帯電話１に送信する。携帯電話１に送信する地図データは、携帯電話１が表示可能なサイズで構成されているものとする。
【００６０】
図８を用いて、本実施形態に係る通信システムにおける処理の流れを説明する。図８は、携帯電話１が、携帯電話２ａ、携帯電話２ｂ又は携帯電話２ｃの現在位置を表示する地図データの格納位置を示すＵＲＬを含む居場所通知メールを、サーバ３から受信する場合の処理の流れの一例を示す図である。
【００６１】
図８に示すように、携帯電話２ａ、携帯電話２ｂ又は携帯電話２ｃは、携帯電話１を宛先として、位置情報を含む居場所通知メールを送信する（ステップＳ１０１）。
【００６２】
サーバ３は、居場所通知メールを受信すると（ステップＳ１０２）、居場所通知メールに含まれる位置情報に基づいて地図データを作成し（ステップＳ１０３）、作成した地図データを内部に格納する（ステップＳ１０４）。続いて、サーバ３は、地図データの格納位置を示すＵＲＬを居場所通知メールに挿入し（ステップＳ１０５）、携帯電話１に居場所通知メールを転送する（ステップＳ１０６）。
【００６３】
携帯電話１は、居場所通知メールを受信すると（ステップＳ１０７）、居場所通知メールに対応する通知ウィンドウをディスプレイに表示させる（ステップＳ１０８）。例えば、携帯電話１は、居場所通知メールの送信者の情報及び送信契機の情報を含み、居場所通知メールに含まれるＵＲＬが紐付けられた地図表示ボタンを含む通知ウィンドウをディスプレイに表示させる（図３〜図６など参照）。続いて、携帯電話１は、地図表示ボタンの操作に応じて、ＵＲＬにアクセスする（ステップＳ１０９）。
【００６４】
サーバ３は、携帯電話１によるＵＲＬへのアクセスを受信すると（ステップＳ１１０）、アクセスされたＵＲＬに対応する地図データを取得し（ステップＳ１１１）、取得した地図データを携帯電話１に送信する（ステップＳ１１２）。
【００６５】
携帯電話１は、サーバ３から地図データを受信すると（ステップＳ１１３）、地図データをディスプレイに表示させる（ステップＳ１１４）。
【００６６】
図８では、サーバ３が、携帯電話２ａ〜２ｃから受信した居場所通知メールにＵＲＬを挿入して携帯電話１に転送し、携帯電話１は、ＵＲＬが挿入された居場所通知メールをサーバ３から受信する例を説明したが、次のような処理を行ってもよい。例えば、携帯電話１は、サーバ３を経由せずに、携帯電話２ａ〜２ｃから居場所通知メールを直接受信する。続いて、携帯電話１は、携帯電話２ａ〜２ｃから居場所通知メールを受信すると、居場所通知メールに対応する通知ウィンドウを表示させる。このとき、携帯電話１が、通知ウィンドウに地図表示ボタンを設けておく。そして、携帯電話１は、ユーザによる地図表示ボタンへの操作があると、居場所通知メールに含まれる位置情報を取得し、この位置情報に基づく地図データをサーバ３から取得してディスプレイに表示させる。このような処理を行うことで、サーバ３から携帯電話１に対してＵＲＬを送信しなくとも、図８に示す処理と同様の結果を得ることができる。
【００６７】
図９を用いて、本実施形態に係る通信システムにおける別の処理の流れを説明する。図９は、携帯電話１が、携帯電話２ａ、携帯電話２ｂ又は携帯電話２ｃの現在位置を表示する地図データの格納位置を示すＵＲＬを含む居場所通知メールを、携帯電話２ａ、携帯電話２ｂ又は携帯電話２ｃから受信する場合の処理の流れの一例を示す図である。図９に示すステップＳ２０８〜ステップＳ２１５の処理は、図８に示すステップＳ１０７〜ステップＳ１１４の処理に対応する。
【００６８】
図９に示すように、携帯電話２ａ、携帯電話２ｂ又は携帯電話２ｃは、位置情報をサーバ３に送信する（ステップＳ２０１）。
【００６９】
サーバ３は、携帯電話２ａ、携帯電話２ｂ又は携帯電話２ｃから、位置情報を受信すると（ステップＳ２０２）、サーバ３は、位置情報に基づいて地図データを作成し（ステップＳ２０３）、作成した地図データを内部に格納する（ステップＳ２０４）。続いて、サーバ３は、地図データの格納位置を示すＵＲＬを記述したメールを、位置情報の送信元である携帯電話２ａ、携帯電話２ｂ又は携帯電話２ｃに送信する（ステップＳ２０５）。
【００７０】
携帯電話２ａ、携帯電話２ｂ又は携帯電話２ｃは、サーバ３からＵＲＬを記述したメールを受信すると（ステップＳ２０６）、このＵＲＬを含むメールを居場所通知メールとして携帯電話１に送信する（ステップＳ２０７）。
【００７１】
携帯電話１は、居場所通知メールを受信すると（ステップＳ２０８）、居場所通知メールに対応する通知ウィンドウをディスプレイに表示させる（ステップＳ２０９）。例えば、携帯電話１は、居場所通知メールの送信者の情報及び送信契機の情報を含み、居場所通知メールに含まれるＵＲＬが紐付けられた地図表示ボタンを含む通知ウィンドウをディスプレイに表示させる（図３〜図６など参照）。続いて、携帯電話１は、地図表示ボタンの操作に応じて、ＵＲＬにアクセスする（ステップＳ２１０）。
【００７２】
サーバ３は、携帯電話１によるＵＲＬへのアクセスを受信すると（ステップＳ２１１）、アクセスされたＵＲＬに対応する地図データを取得し（ステップＳ２１２）、取得した地図データを携帯電話１に送信する（ステップＳ２１３）。
【００７３】
携帯電話１は、サーバ３から地図データを受信すると（ステップＳ２１４）、地図データをディスプレイに表示させる（ステップＳ２１５）。
【００７４】
本実施形態では、携帯電話１は、携帯電話２ａ、携帯電話２ｂ又は携帯電話２ｃから居場所通知メールを受信した場合に、メールに対応する通知ウィンドウを表示させる。このため、本実施形態によれば、携帯電話１のユーザに、特定のメールの受信を迅速に把握させることができる。例えば、携帯電話１を利用する保護者が、児童からの居場所通知メールの受信を迅速に把握できる。
【００７５】
本実施形態では、携帯電話２ａ〜２ｃの位置情報に対応する接続先情報（ＵＲＬ）にアクセスするためのリンクとして、通知ウィンドウに地図表示ボタンを設ける。このため、本実施形態によれば、例えば、通知ウィンドウから携帯電話２ａ〜２ｃの現在位置が表示される地図を直接表示できる。
【００７６】
本実施形態では、居場所通知メールの送信者の情報（たとえば、特許一郎）を通知ウィンドウにさらに表示させる。このため、本実施形態によれば、例えば、誰から居場所通知メールが送信されたかを迅速に把握できる。
【００７７】
本実施形態では、居場所通知メールの送信契機の情報（たとえば、地震速報）を通知ウィンドウにさらに表示させる。このため、本実施形態によれば、例えば、居場所通知メールが何故送信されたかを迅速に把握できる。
【００７８】
本実施形態では、携帯電話２ａ〜２ｃが現在位置を通知するための送信する居場所通知メールを受信すると、居場所通知メールに対応した通知ウィンドウを表示させる例を説明したが、これには限定されない。例えば、移動経路を通知するメールを受信した場合にも、居場所通知メールを受信した場合と同様に、移動経路を通知するメールに対応する通知ウィンドウを表示させてもよい。
【００７９】
本実施形態では、携帯電話２ａ〜２ｃは、例えば、居場所通知メールとして、いわゆるキャリアメールを利用してもよいし、携帯電話１のユーザが加入する通信事業者と携帯電話２ａ〜２ｃのユーザが加入する通信事業者が同一であれば、ショートメールを利用してもよい。スマートフォンであれば、キャリアメールのほかに、ＳＭＳ、ＭＭＳ、Ｗｅｂメールなどを利用してもよい。
【００８０】
（その他の実施形態）
上述した実施形態において、例えば、携帯電話２ａ〜２ｃから同時に居場所通知メールを受信した場合には、それぞれに対応する通知ウィンドウを表示させるようにしてもよい。図１０は、複数の通知ウィンドウを同時に表示させるときの一例を示す図である。図１０では、緊急地震速報の受信に応じて、携帯電話２ａ〜２ｃから携帯電話１に対して、一斉に居場所通知メールが送信される場合を示している。
【００８１】
図１０に示すように、携帯電話１は、携帯電話２ａ〜２ｃから、緊急地震速報の受信に応じた居場所通知メールを同時に受信した場合には、それぞれに対応する通知ウィンドウＷ１１、Ｗ１３、Ｗ１４を表示させる。例えば、携帯電話１は、携帯電話２ａから送信された居場所通知メールに対応する通知ウィンドウとして、送信者“特許一郎”、起動要因“地震速報”及び地図表示ボタンを含む通知ウィンドウＷ１１をディスプレイに表示させる。通知ウィンドウＷ１１に加えて、携帯電話１は、携帯電話２ｂから送信された居場所通知メールに対応する通知ウィンドウとして、送信者“特許花子”、起動要因“地震速報”及び地図表示ボタンを含む通知ウィンドウＷ１３をディスプレイに表示させる。通知ウィンドウＷ１１及び通知ウィンドウＷ１３に加えて、携帯電話１は、携帯電話２ｃから送信された居場所通知メールに対応する通知ウィンドウとして、送信者“特許二郎”、起動要因“地震速報”及び地図表示ボタンを含む通知ウィンドウＷ１４をディスプレイに表示させる。
【００８２】
さらに、携帯電話１は、図１０に示す居場所通知メールを受信する前に、受信済みの居場所通知メールがある場合には、携帯電話ごとに、居場所通知メールに対応する各通知ウィンドウを重ねて表示させる。このとき、携帯電話１は、時系列の新しい通知ウィンドウが前面に来るように重ねて表示させる。例えば、携帯電話１は、携帯電話２ａについて、図１０の居場所通知メールを受信する前に、受信済みの居場所通メールが１通ある場合には、図１０に示す居場所通知メールに対応する通知ウィンドウＷ１１と、受信済みの居場所通知メールに対応する通知ウィンドウＷ１２とを重ねてディスプレイに表示させる。このとき、携帯電話１は、通知ウィンドウＷ１１が通知ウィンドウＷ１２よりも前面に来るように重ねて表示させる。さらに、携帯電話１は、携帯電話２ｃについて、図１０の居場所通知メールを受信する前に、受信済みの居場所通メールが１通ある場合には、図１０に示す居場所通知メールに対応する通知ウィンドウＷ１４と、受信済みの居場所通知メールに対応する通知ウィンドウＷ１５とを重ねてディスプレイに表示させる。このとき、携帯電話１は、通知ウィンドウＷ１４が通知ウィンドウＷ１５よりも前面に来るように重ねて表示させる。
【００８３】
図１０に示す例では、携帯電話１は、例えば、携帯電話２ａ〜２ｃから同時に居場所通知メールを受信した場合には、それぞれに対応する通知ウィンドウを表示させる。このため、特定のメールを複数受信した場合であっても、それぞれのメールの受信を迅速に把握できる。
【００８４】
図１０に示す例では、携帯電話１は、例えば、携帯電話２ａ〜２ｃから居場所通知メールを受信した場合には、携帯電話２ａ〜２ｃから受信済みの居場所通メールがある場合には、携帯電話２ａ〜２ｃごとに、各居場所通知メールに対応する通知ウィンドウを字形例に重ねてディスプレイに表示させる。このため、居場所通知メールの確認漏れを防止できる。
【００８５】
図１０では、緊急地震速報の受信に応じて、携帯電話２ａ〜２ｃから携帯電話１に対して、一斉に居場所通知メールが送信される場合を説明したが、送信契機が異なる居場所通知メールを同時に受信した場合であっても、同様に通知ウィンドウを表示させてもよい。図１１は、複数の通知ウィンドウを同時に表示させるときの他の例を示す図である。図１１では、防犯ブザーの鳴動及び緊急地震速報の受信に応じて、携帯電話２ａ〜２ｃから携帯電話１に対して、一斉に居場所通知メールが送信される場合を示している。
【００８６】
図１１に示すように、携帯電話１は、防犯ブザーの鳴動に応じて携帯電話２ａから送信された居場所通知メール、緊急地震速報の受信に応じて携帯電話２ｂ及び携帯電話２ｃから送信された居場所通知メールを同時に受信した場合には、それぞれに対応する通知ウィンドウＷ２１、Ｗ２３、Ｗ２４を表示させる。さらに、携帯電話１は、図１０に示す場合と同様に、図１１に示す居場所通知メールを受信する前に、受信済みの居場所通知メールがある場合には、携帯電話ごとに、居場所通知メールに対応する各通知ウィンドウを重ねて表示させる。例えば、携帯電話１は、携帯電話２ａについて、図１１の居場所通知メールを受信する前に、受信済みの居場所通メールが１通ある場合には、図１１に示す居場所通知メールに対応する通知ウィンドウＷ２１と、受信済みの居場所通知メールに対応する通知ウィンドウＷ２２とを重ねてディスプレイに表示させる。このとき、携帯電話１は、通知ウィンドウＷ２１が通知ウィンドウＷ２２よりも前面に来るように重ねて表示させる。さらに、携帯電話１は、携帯電話２ｃについて、図１１の居場所通知メールを受信する前に、受信済みの居場所通メールが１通ある場合には、図１１に示す居場所通知メールに対応する通知ウィンドウＷ２４と、受信済みの居場所通知メールに対応する通知ウィンドウＷ２５とを重ねてディスプレイに表示させる。このとき、携帯電話１は、通知ウィンドウＷ２４が通知ウィンドウＷ２５よりも前面に来るように重ねて表示させる。
【００８７】
図１１に示す場合において、携帯電話１は、携帯電話２ａ〜２ｃから同時に受信した居場所通知メールのそれぞれに対応する複数の通知ウィンドウのうち、特定の送信契機に対応する通知ウィンドウを、他の通知ウィンドウとは異なる表示態様で表示させてもよい。例えば、携帯電話１は、防犯ブザーの鳴動を送信契機とする居場所通知メールに対応する通知ウィンドウを、緊急地震速報の受信を送信契機とする居場所通知メールに対応する通知ウィンドウよりも、目立つ表示態様（色あるいは大きさなどを変更した表示態様）でディスプレイに表示させる。あるいは、携帯電話１は、防犯ブザーの鳴動を送信契機とする居場所通知メールと、居場所通知要求の受信を送信契機とする居場所通知メールとを同時に受信した場合には、防犯ブザーの鳴動を送信契機とする居場所通知メールに対応する通知ウィンドウを、居場所通知要求の受信を送信契機とする居場所通知メールに対応する通知ウィンドウよりも、目立つ表示態様でディスプレイに表示させる。このようにすることで、例えば、携帯電話１のユーザである保護者に、児童から受信した居場所通知メールのうち、より緊急性の高いメールの受信を迅速に把握させることができる。
【００８８】
上述した実施形態において、携帯電話１は、ディスプレイに表示させている通知ウィンドウのうち、地図データの表示が行われた通知ウィンドウについては消去するようにしてもよい。
【００８９】
上述した実施形態では、通知ウィンドウに、地図データを表示させるための地図表示ボタンを設ける例を説明したが、所定のタイミングで、通知ウィンドウに、未読メールを表示させるためのボタンを表示させるようにしてもよい。図１２は、通知ウィンドウに表示されている地図表示ボタンが未読メールを表示させるボタンに変更される例を示す図である。
【００９０】
図１２に示すように、携帯電話１は、例えば、通知ウィンドウＷ１の地図表示ボタンＢ１への操作に応じて地図データをディスプレイに表示させた後、通知ウィンドウＷ１を再びディスプレイに表示させるタイミングで、通知ウィンドウＷ１に、未読メールを表示させるボタンためのボタンＢ２を表示させるようにしてもよい。このようにすることで、例えば、携帯電話１を利用する保護者は、児童の位置を地図上で確認後、メールボックス内の未読メールの閲覧にそのまま移ることができる。
【００９１】
上述した実施形態では、携帯電話１は、サーバ３から地図データの提供を受ける例を説明したが、携帯電話１が地図データを蓄積しておいて、携帯電話２ａ〜２ｃから受信した位置情報に基づいて、携帯電話２ａ〜２ｃの現在位置に対応する地図データを表示してもよい。例えば、携帯電話１は、携帯電話２ａ〜２ｃから位置情報を含むメールを受信した場合に、上述の実施形態と同様に、通知ウィンドウをディスプレイに表示させる。通知ウィンドウには、上述の実施形態と同様に地図表示ボタンを設ける。そして、携帯電話１は、地図表示ボタンが入力された場合には、蓄積した地図データの中から、携帯電話２ａ〜２ｃから受信した位置情報に対応する地図データをディスプレイに表示する。
【００９２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００９３】
１          携帯電話
２ａ〜２ｃ  携帯電話
３            サーバ
１１、５１    マイク
１２、５２    スピーカ
１３、５３    レシーバ
１４、５４    操作部
１５、５５    表示部
１６、５６      カメラ
１７、５７    通信部
２０、６０    音声処理部
４０、８０    記憶部
１００        制御部
１１０        居場所通知要求部
１２０        通知ウィンドウ表示制御部
１３０        地図表示制御部
２００        制御部
２１０        通知処理部
２２０        位置測位部
【図１】
0005876371.tif 000002
【図２】
0005876371.tif 000003
【図３】
0005876371.tif 000004
【図４】
0005876371.tif 000005
【図５】
0005876371.tif 000006
【図６】
0005876371.tif 000007
【図７】
0005876371.tif 000008
【図８】
0005876371.tif 000009
【図９】
0005876371.tif 000010
【図１０】
0005876371.tif 000011
【図１１】
0005876371.tif 000012
【図１２】
0005876371.tif 000013